(57)【要約】【課題】泡状の吐出物の生成および投与に要する作業の手間を省くことができ、もって手技を簡単かつ迅速に行うことを可能にする医療用長尺体を提供する。【解決手段】医療用長尺体１００は、第１の液体が流通する第１流路１３１と、第１の液体と液組成が異なる第２の液体が流通する第２流路１３２と、第１流路と前記第２流路を合流して第１の液体と前記第２の液体を混合する混合部１４０と、ガスが流通するガス流路１６０と、各液体中にガスを混入させるガス混入部１６１と、ガスが混入された液体を泡状の吐出物にする泡生成部材１７０と、泡状の吐出物を吐出させる吐出口１８０とを有する。【選択図】図４
2013202201.tif 000002
【特許請求の範囲】
【請求項１】
泡状の吐出物を吐出させる医療用長尺体であって、
第１の液体が流通する第１流路と、
前記第１の液体と液組成が異なる第２の液体が流通する第２流路と、
前記第１流路と前記第２流路を合流し、前記第１の液体と前記第２の液体を混合する混合部と、
ガスが流通するガス流路と、
前記第１流路を流れる前記第１の液体および前記第２流路を流れる前記第２の液体の少なくとも一方の液体中に、または前記混合部において混合された混合液中に前記ガスを混入させるガス混入部と、
前記ガスが混入された液体を泡状の吐出物にする泡生成部材と、
前記泡状の吐出物を吐出させる吐出口と、を有することを特徴とする医療用長尺体。
【請求項２】
前記混合部は、前記第１流路と前記第２流路をそれぞれ連通する複数の連通路を有することを特徴とする請求項１に記載の医療用長尺体。
【請求項３】
前記複数の連通路は、前記第１流路から前記第２流路にかけて流路断面積が次第に小さくなる第１連通路と、前記第２流路から前記第１流路にかけて流路断面積が次第に小さくなる第２連通路とを少なくとも有する請求項２に記載の医療用長尺体。
【請求項４】
前記混合部には、複数の粒状部材および複数の線状部材の少なくとも一方が設けられる請求項１〜３のいずれか１項に記載の医療用長尺体。
【請求項５】
前記混合部は、前記第１の液体、前記第２の液体、および前記ガスを撹拌しながら流通させる撹拌路を有することを特徴とする請求項１〜４のいずれか１項に記載の医療用長尺体。
【請求項６】
前記ガス混入部は、ガス流路に設けられるとともに前記第１の流路または前記第２の流路の少なくとも一方の流路に露出して配置される多孔質部材を有することを特徴とする請求項１〜５のいずれか１項に記載の医療用長尺体。
【請求項７】
前記泡生成部材は、前記吐出口に少なくとも設置されることを特徴とする請求項１〜６のいずれか１項に記載の医療用長尺体。
【請求項８】
前記混合部よりも先端側に配置され前記混合液を混合させる補助混合部材をさらに有することを特徴とする請求項１〜７のいずれか１項に記載の医療用長尺体。
【請求項９】
前記ガス混入部は、前記混合部よりも基端側から前記混合部へ向けて前記ガスを送出するガス送出口を有することを特徴とする請求項１〜８のいずれか１項に記載の医療用長尺体。
【発明の詳細な説明】
【技術分野】
【０００１】
本発明は、泡状の吐出物の吐出に用いられる医療用長尺体に関する。
【背景技術】
【０００２】
従来から、２種の生体内注入液およびガスを混合して泡状の吐出物を生成し、この泡状の吐出物を生体に投与する手技が知られている（例えば、特許文献１を参照）。この特許文献１に記載の手技で使用される生体内注入剤は、混合直後に重合反応が生じてゲル化が進行するため、投与目的の対象となる生体器官の末梢部位へ十分に行き渡らせることができないという問題がある。
【０００３】
一方で、特許文献２には、重合反応が生じるまでに一定の時間を要する生体内注入液から泡状の治療剤やシーリング剤を生成して投与する肺気腫の治療方法が記載されている。この方法によれば、特許文献１に記載の方法よりも生体内における泡状の吐出物の送達性を向上させることができる。しかし、以下のような理由により、泡状の吐出物を生成し、投与する作業が煩雑なものとなっている。特許文献２に記載の方法では、泡状の吐出物の生成に、液組成がそれぞれ異なる生体内注入液を保持する複数の生体内注入液用シリンジが用いられる。複数のシリンジを利用して、生体内注入液の混合およびガスの混合を繰り返すことによって治療剤やシーリング剤などから泡状の吐出物を生成している。そして、生成された所定量の泡状の吐出物は、上記各シリンジとは別体に設けられた専用のカテーテルデバイスによって投与される。
【先行技術文献】
【特許文献】
【０００４】
【特許文献１】特表２００３−５０７１３０号公報
【特許文献２】特表２０１０−５２６９１４号公報
【発明の概要】
【発明が解決しようとする課題】
【０００５】
このため、投与を行う度に、各種のシリンジを利用して泡状の吐出物を生成し、さらに泡状の吐出物を専用のカテーテルデバイスに接続させる作業が必要になっており、泡状の吐出物の生成および投与に非常に手間が掛かる。
【０００６】
そこで本発明は、泡状の吐出物の生成および投与に要する作業の手間を省くことができ、もって手技を簡単かつ迅速に行うことを可能にする医療用長尺体を提供することを目的とする。
【課題を解決するための手段】
【０００７】
（１）上記目的を達成するための本発明に係る医療用長尺体は、第１の液体が流通する第１流路と、前記第１の液体と液組成が異なる第２の液体が流通する第２流路と、前記第１流路と前記第２流路を合流し、前記第１の液体と前記第２の液体を混合する混合部と、ガスが流通するガス流路と、前記第１流路を流れる前記第１の液体および前記第２流路を流れる前記第２の液体の少なくとも一方の液体中に、または前記混合部において混合された混合液中に前記ガスを混入させるガス混入部と、前記ガスが混入された液体を泡状の吐出物にする泡生成部材と、前記泡状の吐出物を吐出させる吐出口と、を有している。
【０００８】
（２）前記混合部は、前記第１流路と前記第２流路をそれぞれ連通する複数の連通路を有することを特徴とする上記（１）に記載の医療用長尺体。
【０００９】
（３）前記複数の連通路は、前記第１流路から前記第２流路にかけて流路断面積が次第に小さくなる第１連通路と、前記第２流路から前記第１流路にかけて流路断面積が次第に小さくなる第２連通路とを少なくとも有する上記（２）に記載の医療用長尺体。
【００１０】
（４）前記混合部には、複数の粒状部材および複数の線状部材の少なくとも一方が設けられる上記（１）〜（３）のいずれか１つに記載の医療用長尺体。
【００１１】
（５）前記混合部は、前記第１の液体、前記第２の液体、および前記ガスを撹拌しながら流通させる撹拌路を有することを特徴とする上記（１）〜（４）のいずれか１つに記載の医療用長尺体。
【００１２】
（６）前記ガス混入部は、ガス流路に設けられるとともに前記第１の流路または前記第２の流路の少なくとも一方の流路に露出して配置される多孔質部材を有することを特徴とする上記（１）〜（５）のいずれか１つに記載の医療用長尺体。
【００１３】
（７）前記泡生成部材は、前記吐出口に少なくとも設置されることを特徴とする上記（１）〜（６）のいずれか１つに記載の医療用長尺体。
【００１４】
（８）前記混合部よりも先端側に配置され前記混合液を混合させる補助混合部材をさらに有することを特徴とする上記（１）〜（７）のいずれか１つに記載の医療用長尺体。
【００１５】
（９）前記ガス混入部は、前記混合部よりも基端側から前記混合部へ向けて前記ガスを送出するガス送出口を有することを特徴とする上記（１）〜（８）のいずれか１つに記載の医療用長尺体。
【発明の効果】
【００１６】
上記（１）に記載の本発明によれば、医療用長尺体へ液組成のそれぞれ異なる第１の液体および第２の液体を流入させることにより、液体の混合、液体へのガスの混入、ガスが混入された液体の泡化、および泡化された吐出物の吐出といった一連の作業を行うことが可能になる。このため、泡状の吐出物の生成および吐出に要する作業の手間を省くことができ、泡状の吐出物を生体に投与する各種の手技を簡単かつ迅速に行うことが可能になる。
【００１７】
また、上記（２）に記載の発明によれば、第１の液体が第１流路を流れる間、および第２の液体が第２流路を流れる間に複数の連通路を介して第１の液体と第２の液体とを混合させることができるため、医療用長尺体内における各液体の円滑な流通を妨げることなく、各液体を好適に混合させることができる。
【００１８】
また、上記（３）に記載の発明によれば、第１流路から第２流路へ向かって第１の液体が流れ易くなり、かつ、第２流路から第１流路へ向かって第２の液体が流れ易くなるため、混合部において第１の液体と第２の液体を均一に混合させることができ、泡状の吐出物として吐出させる際に吐出物全体に成分濃度のばらつきが生じることを防止できる。
【００１９】
また、上記（４）に記載の発明によれば、混合部に設けられた粒状部材や線状部材によって形成される流路に第１の液体と第２の液体を通過させながら混合を行うことが可能になるため、単純に一方の液体の流れの中に他方の液体を混入させて混合を行う場合よりも、均一に混合させることができる。
【００２０】
また、上記（５）に記載の発明によれば、各液体およびガスが流通する間にこれらの流体を撹拌させることができるため、混合部において第１の液体と第２の液体を均一に混合させることができる。
【００２１】
また、上記（６）に記載の発明によれば、多孔質部材から放出される気泡状のガスを各液体中に分散して混入させることができるため、ガスが混入された液体の泡化を促進することができる。
【００２２】
また、上記（７）に記載の発明によれば、液体の泡化が吐出時に行われるため、医療用長尺体内において一旦泡化された吐出物が液化して液体のまま吐出されてしまうようなことがなく、泡状の吐出物を確実に吐出させることができる。
【００２３】
また、上記（８）に記載の発明によれば、補助混合部材を有することにより、第１の液体と第２の液体をより一層均一に混合させることができる。
【００２４】
また、上記（９）に記載の発明によれば、混合部よりも基端側に配置されたガス送出口からガスを送出させることによって混合部を吹き流すことが可能になるため、混合液が混合部において滞留および残留することを防止することができ、混合部に詰まりや閉塞が生じることを防止することができる。
【図面の簡単な説明】
【００２５】
【図１】本発明の第１実施形態に係る医療用長尺体を備える塗布具の全体構成を示す平面図である。
【図２】塗布具の全体構成を示す側面図である。
【図３】第１実施形態に係る医療用長尺体の説明に供する図であって、図１の左右方向に沿う医療用長尺体の拡大断面図である。
【図４】第１実施形態に係る医療用長尺体の説明に供する図であって、図３の４Ａ−４Ａ線に沿う医療用長尺体の拡大断面図である。
【図５】医療用長尺体に用いられる泡生成部材および補助混合部材を示す図である。
【図６】本発明の第２実施形態に係る医療用長尺体の説明に供する部分断面図である。
【図７】第２実施形態の変形例に係る医療用長尺体の説明に供する部分断面図である。
【図８】第２実施形態の他の変形例に係る医療用長尺体の説明に供する部分断面図である。
【図９】本発明の第３実施形態に係る医療用長尺体の説明に供する部分断面図である。
【図１０】本発明の第４実施形態に係る医療用長尺体の説明に供する部分断面図である。
【図１１】本発明の第５実施形態に係る医療用長尺体の説明に供する部分断面図である。
【発明を実施するための形態】
【００２６】
以下、図面を参照して、本発明の実施の形態を説明する。なお、図面の寸法比率は、説明の都合上、誇張されており、実際の比率とは異なる場合がある。
【００２７】
＜第１実施形態＞
図１、図２は、第１実施形態に係る医療用長尺体を備える塗布具の全体構成を示す図であり、図３、図４は、医療用長尺体の説明に供する部分断面図であり、図５は、医療用長尺体に用いられる泡生成部材および補助混合部材を示す図である。図中のＸ−Ｙ平面は、医療用長尺体を上面側から見た平面を示し、Ｘ−Ｚ平面は、医療用長尺体を側面から見た平面を示す。
【００２８】
本実施形態に係る医療用長尺体１００は、当該医療用長尺体１００の外部から流入された液体を泡化し、泡状の吐出物として吐出させることが可能な長尺状の部材である。図１、図２に示すように、医療用長尺体１００は、例えば、各種の液体を保持するシリンジ１１、１２や、医療用長尺体１００およびシリンジ１１、１２が取り付け可能に設けられた操作部材４０とともに用いることができる。また、これらの部材によって泡状の吐出物を生体の所定の部位に塗布させるための塗布具（医療器具）１０を構成することができる。以下、塗布具１０とともに本実施形態の医療用長尺体１００を説明する。なお、明細書の説明において、図１〜図４の左側、すなわち医療用長尺体１００の延伸方向の前方側を「先端側」と称し、図１〜図４の右側、すなわち医療用長尺体１００の延伸方向の後方側を「基端側」と称する。
【００２９】
図１、図２に示すように、塗布具１０は、概説すれば、医療用長尺体１００と、医療用長尺体１００に接続分離可能に設けられた第１のシリンジ１１および第２のシリンジ１２と、各シリンジ１１、１２に保持された液体を医療用長尺体１００へ流入させるために用いられる操作部材４０とを有している。
【００３０】
塗布具１０の使用目的としては、特に限定されないが、例えば、生体内への薬液や医療材料の注入、生体組織や管腔のシーリング、止血、血管や動脈瘤など循環器の塞栓、気管支や肺胞などの呼吸器系の塞栓・シーリング、胸膜上のシーリングおよび癒着防止、関節内腔への医療材料充填、あるいは上記の組み合わせによる各種の医療行為などが挙げられる。
【００３１】
各シリンジ１１、１２はそれぞれ、液体を保持する外筒２０と、外筒２０内に保持された液体を先端に位置する注入口（不図示）へ押し出すための押し子３０とを有するものであり、医療の分野において一般的に使用される公知のものである。各シリンジ１１、１２の注入口は、操作部材４０の基部４１に設けられた各連結部材４７、４８にそれぞれ連結させることが可能である。
【００３２】
第１のシリンジ１１には医療用長尺体１００の第１流路１３１へ流入される第１の液体が保持され、第２のシリンジ１２には医療用長尺体１００の第２流路１３２へ流入される第２の液体が保持される（図３を参照）。
【００３３】
本実施形態に用いられる第１の液体および第２の液体は、塗布具１０の用途および使用目的等に応じて適宜選択されるが、例えば、生体組織接着材の投与を目的とする場合には、第１の液体および第２の液体のうちの一方は、トロンビンを含有する液体（溶液等）、他方はフィブリノーゲンを含有する液体（溶液等）とすることができる。
【００３４】
また、例えば、癒着防止材の投与を目的とする場合には、第１の液体および第２の液体のうちの一方は、スクシンイミジル基で修飾したカルボキシメチルデキストリンを含有する液体（溶液等）、他方は、リン酸水素二ナトリウムを含有する液体（溶液等）とすることができる。
【００３５】
なお、本実施形態および後述する各実施形態においては、液相の異なる２種の液体から泡状の吐出物を生成する形態を例示しているが、医療用長尺体の利用に際しては、少なくとも液相の異なる２種以上の液体が用いられればよく、例えば、用途に応じてさらに複数種の液体を用いてもよい。
【００３６】
各シリンジ１１、１２がそれぞれ備える外筒２０を構成する材料としては、特に限定されず、例えば、ポリ塩化ビニル、ポリエチレン、ポリプロピレン、環状ポリオレフィン、ポリスチレンなどが挙げられる。液量を外部から視認可能にするために透明な材料で外筒を形成したり、液量を示す目盛を外筒に付したりしてもよい。また、各シリンジ１１、１２の外筒２０の容積は、第１の液体および第２の液体を混合させる混合比率に応じて異ならせてもよい。
【００３７】
操作部材４０は、図１〜図４に示すように、医療用長尺体１００の接続部１２０に取り付けられる基部４１と、基部４１に固定された押圧部材４３と、各シリンジ１１、１２の押し子３０の基端が保持可能に設けられた後板４５とを有している。
【００３８】
操作部材４０の構成材料としては、特に限定されず、例えば、各種金属材料や各種プラスチック等を単独でまたは組み合わせて用いることができる。
【００３９】
押圧部材４３は、例えば、進退移動が可能に設けられたロッドやピストンなどによって構成することができる。また、各連結部材４７、４８には、例えば、内部が中空に形成されており、各シリンジ１１、１２の注入口を挿し込むことにより液密・気密に連結させることが可能な嵌合式のコネクタなどを用いることができる。
【００４０】
連結部材４７は第１のシリンジ１１が連結可能に設けられており、連結部材４８は第２のシリンジ１２が連結可能に設けられる。塗布具１０の使用に際して、各シリンジ１１、１２は、押し子３０の基端が操作部材４０の後板４５において保持され、先端に位置する注入口が操作部材４０の基部４１に設けられた連結部材４７、４８にそれぞれ連結される。
【００４１】
操作部材４０が備える連結部材４７、４８は、各連結部材４７、４８の内部の空間が操作部材４０の基部４１内に区画された流路５１、５３のそれぞれに連通するように設置される（図３を参照）。また、操作部材４０の基部４１に設けられた流路５１は医療用長尺体１００の第１流路１３１に連通するように配置されており、操作部材４０の基部４１に設けられた流路５３は医療用長尺体１００の第２流路１３２に連通するように配置される。このため、各シリンジ１１、１２を操作部材４０に取り付けることにより、各シリンジ１１、１２の外筒２０の内部、操作部材４０が備える連結部材４７、４８の内部の空間、操作部材４０の基部４１内の流路５１、５３、医療用長尺体１００の第１流路１３１および第２流路１３２をそれぞれ連通させることができる。そして、塗布具１０を使用する使用者は、各部材を組み付けた状態で操作部材４０の後板４５を先端側へ押すことにより、各シリンジ１１、１２の押し子３０を先端側へ前進移動させて、各シリンジ１１、１２からそれぞれの液体を医療用長尺体１００の内部へ流入させることができる。
【００４２】
なお、図示する操作部材４０の構成は一例であるため、塗布具１０の使用目的や用途などに応じてその構成を変更することが可能である。
【００４３】
図３、図４を参照して、医療用長尺体１００は、長尺状の可撓性を有する本体部１１０と、本体部１１０に取り付けられた第１連結部材１１１と、本体部１１０の基端側に設けられた接続部１２０と、接続部１２０に設けられ第１連結部材１１１に連結可能な第２連結部材１２２とを有している。
【００４４】
第１連結部材１１１および第２連結部材１２２には、例えば、それぞれ内部が中空に形成されており、互いに液密・気密に連結させることが可能な嵌合式のコネクタなどを用いることができる。また、図示例では、医療用長尺体１００の接続部１２０を操作部材４０の基部４１に予め一体的に取り付けているが、医療用長尺体１００の接続部１２０および操作部材４０の基部４１が分離可能に接続されるように構成してもよい。
【００４５】
医療用長尺体１００の本体部１１０および接続部１２０は、硬質材料で構成されているものでもよく、また軟質材料や弾性材料等で構成された可撓性を有するものでもよい。本実施形態では、可撓性を有するものとなっている。その構成材料としては、例えば、ポリ塩化ビニル、ポリ酢酸ビニル、ポリエチレン酢酸ビニル共重合体、ポリエチレン、ポリプロピレン、環状ポリオレフィン、ポリブタジエン、ポリウレタン、ポリウレタンエラストマー、ポリイミド、ポリアミド、ポリエーテルブロックアミド共重合体、ポリエステル、ポリエステルエラストマー、シリコーン性樹脂、ポリテトラフルオロエチレンなどを始めとしたフッ素系樹脂、ポリエーテルエーテルケトン樹脂などが挙げられる。また、本体部１１０の外径は、生体内において機能を発現しさえすれば特に限定されるものではないが、例えば０．５ｍｍから５ｍｍの範囲で、より好ましくは０．７ｍｍから３ｍｍの範囲で設定することができる。
【００４６】
医療用長尺体１００の接続部１２０には、第１の液体が流通する第１流路１３１と、第２の液体が流通する第２流路１３２と、第１流路１３１と第２流路１３２を合流して第１の液体と第２の液体を混合する混合部１４０とが設けられる。また、本体部１１０には、第１の液体と第２の液体が混合された混合液が流通する流通ルーメン１５０と、ガスが流通するガス流路１６０と、流通ルーメン１５０を流れる混合液中に所定のガスを混入させるガス混入部１６１と、ガスが混入された液体を泡状の吐出物にするための泡生成部材１７０と、泡状の吐出物を吐出させる吐出口１８０とが設けられる。
【００４７】
第１のシリンジ１１から供給される第１の液体は第１流路内１３１に流入し、第２のシリンジ１２から供給される第２の液体は第２流路内１３２に流入する。流入した各液体は、泡生成部材１７０によって泡化される前に混合部１４０において混合される。混合部１４０において液組成の異なる第１の液体と第２の液体とを十分に混ざり合わせることにより、泡状の吐出物として吐出させる際に吐出物全体の成分濃度にばらつきが生じることを防止することができる。なお、本実施形態においては第１流路１３１、第２流路１３２、および混合部１４０を医療用長尺体１００の接続部１２０に設けているが、例えば、後述する実施形態において示すように、これらを医療用長尺体１００の本体部１１０に設けることもできる。
【００４８】
図３、図４に示すように、混合部１４０には、第１流路１３１と第２流路１３２をそれぞれ連通する複数の連通路１４１を設けることができる。このような連通路１４１を設けることにより、第１の液体が第１流路１３１を流れる間、および第２の液体が第２流路１３２を流れる間に複数の連通路１４１を介して第１の液体と第２の液体を混合させることができる。
【００４９】
また、各連通路１４１による混合をより効率的に行わせるために、例えば、図示するように第１流路１３１から第２流路１３２にかけて流路断面積が次第に小さくなる第１連通路１４３と、第２流路１３２から第１流路１３１にかけて流路断面積が次第に小さくなる第２連通路１４４とを設けることができる。このような連通路１４３、１４４を設けると、第１流路１３１から第２流路１３２へ向かって第１の液体が流れ易くなり、かつ、第２流路１３２から第１流路１３１へ向かって第２の液体が流れ易くなるため、第１の液体と第２の液体をより均一に混合させることが可能になる。
【００５０】
ガス流路１６０は、当該ガス流路１６０の先端に位置し、ガス混入部として機能するガス送出口１６１と、当該ガス流路１６０の基端に位置し、ガス流路１６０へガスを流入させるガス流入口１６３とを有している。ガス送出口１６１は、混合液が流れる流通ルーメン１５０に連通されており、ガス流入口１６３から供給されたガスはガス送出口１６１を介して流通ルーメン１５０へ流入する。
【００５１】
ガスの供給は、例えば、外部装置としてのガス供給源（不図示）を公知の流体供給用のチューブを介してガス流入口１６３に接続し、このガス供給源を利用して行ってもよいが、図示する形態にあっては、後述するベンチュリ効果によって外気を流入させる方法を採用している。このような方法を採用することにより、ガス供給源を使用する場合に比べて塗布具１０が大掛かりなものとなることを防止することができる。なお、ガス供給源を使用する場合のガスとしては、特に限定されないが、例えば、空気、窒素（不活性ガス）、酸素、二酸化炭素（炭酸ガス）等が挙げられる。なお、医療用長尺体１００にあっては、第１の液体と第２の液体が混合された混合液に対してガスが混入するようにガス送出口１６１を配置しているが、このガスは、吐出口１８０よりも基端側の位置において第１の液体、第２の液体、混合液のいずれかに少なくとも混入されればよく、その限りにおいてガス送出口１６１の設置位置を変更することが可能である。
【００５２】
混合部１４０よりも先端側に位置する流通ルーメン１５０には、径がテーパー状に細くなる縮径部分１５３と、この縮径部分１５３に連なり径がテーパー状に大きくなる拡径部分１５５とを備えるくびれ部１５１を設けることができる。ガス流路１６０のガス送出口１６１は、図示するように、拡径部分１５５に連通させることができる。流通ルーメン１５０内を液体が流れると、拡径部分１５５がベンチュリ効果によって減圧されるため、ガス流入口１６１を介した外気の流入を駆動することができる。また、くびれ部１５１を設けることにより、流通ルーメン１５０に混入させたガスが基端側へ逆流することを防止することができる。さらに、混合液は縮径部分１５３から拡径部分１５５へ流れる際に加速されて一部の液体が噴霧状になるため、混合液中に含有される気泡の量を増加させることができる。これにより、泡生成部材１７０による泡化を促進させることができる。
【００５３】
図５には、本実施形態に用いることができる泡生成部材１７０の一例を示す。泡生成部材１７０には、例えば、枠材１７１と、枠材１７１に取り付けられたメッシュ１７３とを備えたものを使用することができる。枠材１７１は、医療用長尺体１００の流通ルーメン１５０にメッシュ１７３を固定させるために用いられる部材である。また、泡生成部材１７０が備えるメッシュ１７３は、図示するように、例えば、格子状に配置された複数の素線部材１７５によって構成することができる。なお、枠材を構成する材料としては、特に限定されないが、例えば、ポリエチレンやポリプロピレンなどのポリオレフィン系樹脂、ポリアミド、ポリカーボネート、ポリメチルメタアクリレートなどのアクリル系樹脂などの硬質の樹脂材料、ステンレス鋼、チタン、チタン合金などの金属材料などが挙げられる。また、メッシュを構成する素線部材の材料としては、特に限定されないが、枠材と同様に硬質の樹脂材料、金属材料などを用いることができる。また、格子の間隔やメッシュを構成する素線部材の径なども特に限定されず、適宜変更することができる。
【００５４】
図３、図４に示すように、吐出口１８０は、医療用長尺体１００の先端に設けられた開口部によって構成している。泡生成部材１７０の設置箇所や設置する個数は特に限定されないが、例えば、図示するように吐出口１８０に少なくとも設置することができる。また、吐出口１８０は、図示するように、例えば、くびれ部１５１の拡径部分１５５からそのまま先端側へ拡径するテーパー状に形成することができるが、吐出物を吐出させることができればよく、その断面形状等は特に限定されない。例えば、先端側へ真っ直ぐ伸びるストレート形状の開口部によって構成することもできる。
【００５５】
図３、図４に示すように、医療用長尺体１００には、混合部１４０において混合された混合液をさらに混合させるための補助混合部材１９０を備えさせることができる。補助混合部材１９０は、例えば、医療用長尺体１００が備える流通ルーメン１５０のくびれ部１５１に配置することができる。また、図５に示すように、例えば、補助混合部材１９０には、泡生成部材１７０と同様の構成のもの、すなわち枠材１７１とメッシュ１７５を備えた構成のものを用いることができる。本実施形態にあっては、くびれ部分１５１に補助混合部材１９０を配置するため、泡生成部材１７０よりも外径が小さく形成されたものが使用される。
【００５６】
本実施形態に係る医療用長尺体１００の作用について説明する。医療用長尺体１００の第１流路１３１内へ流入した第１の液体と、第２流路１３２内へ流入した第２の液体は、混合部１４０において混合されて混合液となる。混合液は、医療用長尺体１００の流通ルーメン１５０内に流入し、ガス混入部１６１においてガスが混入される。そして、ガスが混入された混合液が泡生成部材１７０を通過すると、混合液中に含まれる気泡（ガス）が細かく砕かれて、多数の気泡群からなる泡状の吐出物が生成される。泡状の吐出物は、医療用長尺体１００の吐出口１８０から吐出される。
【００５７】
このように、液組成のそれぞれ異なる第１の液体および第２の液体を医療用長尺体１００に流入させると、液体の混合、液体へのガスの混入、ガスが混入された液体の泡化、および泡化された吐出物の吐出といった一連の作業が行われる。このため、医療用長尺体１００を用いることにより、泡状の吐出物の生成および吐出に要する作業の手間を省くことができ、泡状の吐出物を生体に投与する各種の手技を簡単かつ迅速に行うことが可能になる。
【００５８】
また、混合部１４０が、第１流路１３１と第２流路１３２をそれぞれ連通する複数の連通路１４１を有する場合には、第１の液体が第１流路１３１を流れる間、および第２の液体が第２流路１３２を流れる間に複数の連通路１４１を介して第１の液体と第２の液体を混合させることができるため、医療用長尺体１００内における各液体の円滑な流通を妨げることなく、各液体を好適に混合させることができる。
【００５９】
また、複数の連通路１４１が、第１流路１３１から第２流路１３２にかけて流路断面積が次第に小さくなる第１連通路１４３と、第２流路１３２から第１流路１３１にかけて流路断面積が次第に小さくなる第２連通路１４４とを少なくとも有する場合には、第１流路１３１から第２流路１３２へ向かって第１の液体が流れ易くなり、かつ、第２流路１３２から第１流路１３１へ向かって第２の液体が流れ易くなる。このため、混合部１４０において第１の液体と第２の液体を均一に混合させることができ、泡状の吐出物として吐出させる際に吐出物全体に成分濃度のばらつきが生じることを防止できる。
【００６０】
また、泡生成部材１７０が吐出口１８０に少なくとも設置される場合には、液体の泡化が吐出時に行われるため、医療用長尺体１００内において一旦泡化された吐出物が液化して液体のまま吐出されてしまうようなことがなく、泡状の吐出物を確実に吐出させることができる。
【００６１】
また、混合部１４０よりも先端側に配置され、かつ混合液を混合させる補助混合部材１９０をさらに有する場合には、第１の液体と第２の液体をより一層均一に混合させることができる。
【００６２】
＜第２実施形態＞
次に、図６〜図８を参照して、本発明の第２実施形態に係る医療用長尺体２００を説明する。各図において第１実施形態と同一の部材には同一の符号を付し、その説明を省略する。図６は、第２実施形態に係る医療用長尺体の部分断面図であり、図７は、第２実施形態の変形例に係る医療用長尺体の部分断面図であり、図８は、第２実施形態の他の変形例に係る医療用長尺体の部分断面図である。
【００６３】
上述した第１実施形態に係る医療用長尺体１００にあっては、第１の液体と第２の液体とが混合される混合部１４０には、第１の液体と第２の液体の混合を促進させるための複数の連通路１４１が設けられる。一方、本実施形態に係る医療用長尺体２００にあっては、連通路１４１の代わりに、第１の液体と第２の液体の混合を促進させるための所定の部材が配置される。このような点において、上述した実施形態と相違する。
【００６４】
図６に示すように、第１の液体と第２の液体の混合を促進する部材として、例えば、粒状部材２１０を用いることができる。この粒状部材２１０が混合部１４０に複数設けられると、混合部１４０には第１の液体と第２の液体とを混合させる複数の不規則な流路２２０が各粒状部材２１０の間に形成される。このため、単純に一方の液体の流れの中に他方の液体を混入させて混合を行う場合よりも、混合部１４０を通過する過程で混合液の混合が促進されるため、より一層均一に混合された混合液を得ることができる。
【００６５】
なお、粒状部材２１０を構成する材料としては、特に限定されず、例えば、ポリエチレンやポリプロピレンなどのポリオレフィン系樹脂、ポリアミド、ポリカーボネート、ポリメチルメタアクリレートなどのアクリル系樹脂、ポリスチレン、ポリテトラフルオロエチレンなどのフッ素系樹脂などの樹脂材料やステンレス鋼やチタン、チタン合金などの金属材料を用いることができる。また、その個数や径も特に限定されず、第１の液体と第２の液体の混合を促進することが可能な限りにおいて変更することが可能である。
【００６６】
図７には、第２実施形態の変形例を示す。この変形例に示すように、例えば、粒状部材２１０の代わりに、コイルのように巻回または湾曲した形状付けがなされた線状部材２３０を、混合を促進する部材として用いることもできる。また、図８には、第２実施形態の他の変形例を示す。この他の変形例に示すように、例えば、各線状部材２４０が直線形状を有しかつ複数の異なる方向へ伸びて形成されたブラシのような部材を、混合を促進する部材として用いることもできる。これらのような線状部材２３０、２４０を用いる場合においても、第１の液体と第２の液体を混合する複数の流路２２０を混合部１４０に形成させることができるため、粒状部材２１０を用いる場合と同様に、各液体が混合部１４０を通過する過程において混合液の混合を促進させることができる。
【００６７】
なお、線状部材２３０、２４０を構成する材料としては、特に限定されず、例えば、ポリエチレンやポリプロピレンなどのポリオレフィン系樹脂、ポリアミド、ポリカーボネート、ポリメチルメタアクリレートなどのアクリル系樹脂、ポリスチレン、ポリテトラフルオロエチレンなどのフッ素系樹脂などの樹脂材料やステンレス鋼やチタン、ニッケルチタンなどのチタン合金、タンタル、タンタル合金、タングステン、タングステン合金、コバルト系合金、白金イリジウムなどの白金合金などの金属材料を用いることができる。また、その個数や径も特に限定されず、第１の液体と第２の液体の混合を促進することが可能な限りにおいて変更することが可能である。
【００６８】
＜第３実施形態＞
次に、図９を参照して、本発明の第３実施形態に係る医療用長尺体３００を説明する。図９において上述した各実施形態と同一の部材には同一の符号を付し、その説明を省略する。図９は、第３実施形態に係る医療用長尺体の部分断面図である。
【００６９】
本実施形態に係る医療用長尺体３００にあっては、第１の液体と第２の液体とが混合される混合部１４０に、第１の液体と第２の液体とガスを撹拌しながら流通させる撹拌路３１０が設けられる。第１実施形態に示される連通路１４１が設けられる場合や第２実施形態に示される粒状部材２１０や線状部材２３０、２４０が設けられる場合と同様に、医療用長尺体３００に撹拌路３１０を設けることによって混合部１４０における混合を促進させることが可能になっている。
【００７０】
図９に示すように、医療用長尺体３００には、当該医療用長尺体３００の接続部１２０に第１流路１３１、第２流路１３２、および液体に混入させるガスを供給するためのガス流路１６０が設けられる。また、混合部１４０は、医療用長尺体３００の本体部１１０に設けられる。また、操作部材４０の基部４１には、医療用長尺体３００の第１流路１３１に連通する流路５１と、医療用長尺体３００の第２流路１３２に連通する流路５２と、ガス流路１６０に連通する流路５４が設けられる。操作部材４０の基部４１に設けられた流路５４には、外部装置としてのガス供給源（不図示）と連結される流体供給用のチューブ５５が液密・気密に連結される連結部材５６を設けている。ガス流路１６０内へのガスの供給は、このチューブ５５を介して行うことができる。
【００７１】
医療用長尺体３００の本体部１１０には、撹拌路３１０を形成するための撹拌部材３２０が配置される。撹拌部材３２０は、この撹拌部材３２０の内部に形成され、ガス流路１６０と連通されるガス用ルーメン３２１と、ガス用ルーメン３２１と当該撹拌部材３２０の外表面を貫通する複数の貫通孔３２３と、撹拌部材３２０の外表面にらせん状に配置された撹拌翼３２５とを有している。また、撹拌部材３２０は、医療用長尺体３００の本体部１１０内において軸周りに回転可能に取り付けられており、本体部１１０の内壁と当該撹拌部材３２０との間に撹拌路３１０を形成する。
【００７２】
撹拌部材３２０を構成する材料には、例えば、医療用長尺体３００の本体部１１０を構成する材料と同様のものを用いることができる。また、撹拌部材３２０に設けられる貫通孔３２３の大きさや個数、配置等は、図示する形態に限定されず、適宜変更することが可能である。撹拌翼３２５の個数や形状等も、各液体およびガスの混合を行うことが可能な限りにおいて変更することが可能である。
【００７３】
本実施形態に係る医療用長尺体３００の作用を説明する。医療用長尺体３００の混合部１４０に第１の液体および第２の液体が流入すると、各液体の流入に伴って撹拌部材３２０が回転し、第１の液体と第２の液体が混合される。この際、撹拌部材３２０の貫通孔３２３からガスが混合部１４０へ供給される。第１の液体、第２の液体、およびガスは、撹拌路３１０を通る際に撹拌されながら吐出口１８０へ向かって流れるため、各液体とガスの混合を促進させることができる。
【００７４】
＜第４実施形態＞
次に、図１０を参照して、本発明の第４実施形態に係る医療用長尺体４００を説明する。図１０において上述した各実施形態と同一の部材には同一の符号を付し、その説明を省略する。図１０は、第４実施形態に係る医療用長尺体の部分断面図である。
【００７５】
本実施形態に係る医療用長尺体４００にあっては、ガス流路１６０に多孔質部材４４０を配置し、この多孔質部材４４０から放出されるガスを各液体中に混入させる形態を有している。このような多孔質部材４４０が設けられる点において上述した各実施形態と相違する。
【００７６】
図１０に示すように、医療用長尺体４００には、第１の液体が流れる第１流路１３１を備える第１内管４１０と、第２の液体が流れる第２流路１３２を備える第２内管４２０と、ガスが流れるガス流路１６０を備えるガス用内管４３０が設けられる。なお、図示するように、例えば、第１内管４１０の先端開口を、第１の液体が第１内管４１０の先端から第２内管４２０の先端側へ向けて流れるように傾斜した開口形状に形成し、第２内管４２０の先端開口を、第２の液体が第２内管４２０の先端から第１内管４１０の先端側へ向けて流れるように傾斜した開口形状に形成することができる。
【００７７】
ガス用内管４３０の先端部には、多孔質部材４４０を取り付けている。またガス用内管４３０の先端部から所定の部位までは第２内管４２０の第２流路１３２内に配置されており、ガス用内管４３０の基端は第２内管４２０および医療用長尺体４００の本体部１１０を通して外部へ導出される。ガス用内管４３０の基端には、外部装置としてのガス供給源（不図示）と連結される流体供給用のチューブ５５が液密・気密に連結される連結部材５６を設けている。ガス流路１６０内へのガスの供給は、このチューブ５５を介して行うことができる。
【００７８】
ガス用内管４３０に取り付けられた多孔質部材４４０としては、特に限定されないが、例えば、ポリテトラフルオロエチレンやポリプロピレン、ポリエチレンなどのオレフィン系樹脂等の疎水性を有する樹脂材料やステンレス鋼やチタン、ニッケルチタンなどに代表されるチタン合金などの金属材料、あるいはセラミックス部材などに多孔質処理を施したものが挙げられる。
【００７９】
第１内管４１０、第２内管４２０、ガス用内管４３０を構成する材料には、例えば、医療用長尺体４００の本体部１１０を構成する材料と同様のものを用いることができる。
【００８０】
本実施形態に係る医療用長尺体４００の作用を説明する。第２内管４２０の第２流路１３２内に配置された多孔質部材４４０によって多数の気泡状のガスが第２液体中に分散して混入される。このため、泡生成部材１７０によって第１液体および第２液体の混合液の泡化をする際に、泡化を促進させることができるため、泡状の吐出物の吐出をより確実に行うことができる。
【００８１】
なお、本実施形態にあっては、多孔質部材４４０およびガス用内管４３０を第２内管４２０の第２流路内１３２に配置しているが、第１内管４１０の第１流路内１３１に配置してもよいし、両方の内管４１０、４２０に配置してもよく、さらに混合部１４０に配置してもよい。
【００８２】
＜第５実施形態＞
次に、図１１を参照して、本発明の第５実施形態に係る医療用長尺体５００を説明する。図１１において上述した各実施形態と同一の部材には同一の符号を付し、その説明を省略する。図１１は、第５実施形態に係る医療用長尺体の部分断面図である。
【００８３】
本実施形態に係る医療用長尺体５００にあっては、第１の液体と第２の液体を混合する混合部１４０よりも基端側から当該混合部１４０に向けてガスを送出するガス送出口１６１がガス流路１６０に設けられる。このようなガス送出口１６１を備える点において上述した各実施形態と相違する。
【００８４】
図１１に示すように、ガス用内管４３０の先端には、ガス混入部として機能するガス送出口１６１が設けられる。ガス送出口１６１は、混合部１４０よりも医療用長尺体１００の基端側に配置される。このガス送出口１６１からは、流体供給用のチューブ５５を介して連結された外部装置としてのガス供給源（不図示）によって任意の流速のガスを送出することが可能になっている。ガス送出口１６１から送出されるガスは、先端側へ向けて混合部１４０を通過するように流れる。なお、図示するように、第１の液体と第２の液体が混合される混合部１４０には、混合液をより均一に混合させるための補助混合部材１９０を設けることができる。また、この補助混合部材１９０には、例えば、コイルによって構成された線状部材などを利用することができる。
【００８５】
本実施形態に係る医療用長尺体５００の作用を説明する。混合部１４０よりも基端側に配置されたガス送出口１６１からガスを送出させることによって混合部１４０を吹き流すことが可能になる。このため、混合液が混合部１４０において滞留および残留することを防止することができ、混合部１４０に詰まりや閉塞が生じることを防止することができる。
【００８６】
以上、本発明に係る医療用長尺体を複数の実施形態および変形例を通じて説明したが、本発明は特許請求の範囲の記載に基づいて種々改変することができ、説明した実施形態および変形例のみに限定されるものではない。また、それぞれの実施形態や変形例を組み合わせた実施も可能である。
【符号の説明】
【００８７】
１０    塗布具、
１１    第１のシリンジ、
１２    第２のシリンジ、
４０    操作部材、
１００、２００、３００、４００、５００    医療用長尺体、
１１０    本体部、
１３１    第１流路、
１３２    第２流路、
１４０    混合部、
１４１    連通路、
１４３    第１連通路、
１４４    第２連通路、
１５０    流通ルーメン、
１６０    ガス流路、
１６１    ガス送出口（ガス混入部）、
１７０    泡生成部材、
１８０    吐出口、
１９０    補助混合部材、
２１０    粒状部材、
２３０、２４０    線状部材、
３１０    撹拌路、
３２０    撹拌部材、
４４０    多孔質部材。
【図１】
2013202201.tif 000003
【図２】
2013202201.tif 000004
【図３】
2013202201.tif 000005
【図４】
2013202201.tif 000006
【図５】
2013202201.tif 000007
【図６】
2013202201.tif 000008
【図７】
2013202201.tif 000009
【図８】
2013202201.tif 000010
【図９】
2013202201.tif 000011
【図１０】
2013202201.tif 000012
【図１１】
2013202201.tif 000013